(57)【要約】【課題】電子紙面のレイアウトを維持しながら複雑な操作を必要とせずに所望の表示に切り替えることができる画像表示装置及び画像表示方法を提供する。【解決手段】画像表示装置は、電子紙面データ１１Ａを読み込んで電子紙面２００Ａを表示処理する電子紙面データ管理部１２と、電子紙面２００Ａの文字列を指定する表示指定文字列２３Ａを移動操作する入力部１５と、表示指定文字列２３Ａが選択する電子紙面２００Ａの文字列を電子紙面データ１１Ａから切り出して拡大表示する文字列切出部１８と、入力部１５の操作に基づいて電子紙面２００Ａの表示倍率を拡大又は縮小する電子紙面拡大・縮小部１６と、拡大又は縮小された電子紙面と、表示指定文字列２３Ａと、拡大表示された文字列を表示する拡大表示領域２３Ｂとを１つの画面に表示する画像重畳部１９とを有する。【選択図】図２
2010113040.tif 000002
【特許請求の範囲】
【請求項１】
電子紙面データを読み込んで電子紙面を表示処理する電子紙面データ管理部と、
前記電子紙面の表示要素を指定する表示指定領域を移動操作する操作部と、
前記表示指定領域が選択する前記電子紙面の表示要素を前記電子紙面データから切り出して拡大表示する表示要素切出部と、
前記操作部の操作に基づいて前記電子紙面の表示倍率を拡大又は縮小する電子紙面拡大・縮小部と、
前記電子紙面と、前記表示指定領域と、拡大表示された前記表示要素を表示する拡大表示領域とを１つの画面に表示する画像重畳部とを有することを特徴とする画像表示装置。
【請求項２】
前記電子紙面拡大・縮小部は、前記電子紙面をページ一覧、ページ単位又は記事単位で表示することを特徴とする請求項１に記載の画像表示装置。
【請求項３】
前記電子紙面拡大・縮小部が記事単位で前記電子紙面を表示する際に、前記記事が予め定めたサイズ以下である場合、
前記表示要素切出部は、前記表示要素を切り出さないことを特徴とする請求項２に記載の画像表示装置。
【請求項４】
前記表示要素切出部は、前記表示要素として文字列を切り出し、前記切り出した文字列の改行を省略して前記拡大表示領域に表示することを特徴とする請求項１に記載の画像表示装置。
【請求項５】
電子紙面データを読み込んで電子紙面を表示処理する電子紙面データ表示ステップと、
操作入力に基づいて前記電子紙面の表示要素を指定する表示指定領域を移動操作する操作ステップと、
前記表示指定領域が選択する前記電子紙面の表示要素を前記電子紙面データから切り出して拡大表示する表示要素切出ステップと、
操作入力に基づいて前記電子紙面の表示倍率を拡大又は縮小する電子紙面拡大・縮小ステップと、
前記電子紙面と、前記表示指定領域と、前記拡大表示された表示要素を表示する拡大表示領域とを重畳する画像重畳ステップとを有することを特徴とする画像表示方法。
【発明の詳細な説明】
【技術分野】
【０００１】
本発明は、画像表示装置及び画像表示方法に関する。
【背景技術】
【０００２】
従来の技術として、指定された縮尺において実紙面と同様の新聞イメージの画像を表示する画像表示装置がある（例えば、特許文献１参照）。
【０００３】
この画像表示装置は、外部から実紙面の新聞イメージの画像データ、文字データ及びそれらのレイアウトのための座標データ等であるレイアウトデータを含む電子紙面データを受信する通信部と、各種操作の入力を受け付ける入力部と、操作に応じた新聞イメージの画像データ及び文字データをレイアウトデータに基づいて電子紙面として表示する表示部と、入力される操作内容に基づいて想定される次の表示サイズに対応した解像度の新聞イメージの画像データ、文字データを先行して読み込む制御部とを有するため、電子紙面において実紙面の新聞イメージのレイアウトを維持しながらも、拡大・縮小又は移動の操作に応じた表示処理を迅速に実行することができる。
【０００４】
しかし、従来の画像表示装置によると、利用者は、新聞イメージの中から全体のページ一覧、所望のページ及び所望の記事を切り替えて表示させるために拡大・縮小又は移動の操作を頻繁に実行しなければならないという問題がある。
【特許文献１】特開２００７−３２３３６９号公報
【発明の開示】
【発明が解決しようとする課題】
【０００５】
従って、本発明の目的は、電子紙面のレイアウトを維持しながら複雑な操作を必要とせずに所望の表示に切り替えることができる画像表示装置及び画像表示方法を提供することにある。
【課題を解決するための手段】
【０００６】
（１）本発明は上記目的を達成するため、電子紙面データを読み込んで電子紙面を表示処理する電子紙面データ管理部と、前記電子紙面の表示要素を指定する表示指定領域を移動操作する操作部と、前記表示指定領域が選択する前記電子紙面の表示要素を前記電子紙面データから切り出して拡大表示する表示要素切出部と、前記操作部の操作に基づいて前記電子紙面の表示を拡大又は縮小する電子紙面拡大・縮小部と、前記電子紙面と、前記表示指定領域と、前記拡大表示された表示要素を表示する拡大表示領域とを１つの画面に表示する画像重畳部とを有することを特徴とする画像表示装置を提供する。
【０００７】
上記した構成によれば、表示指定領域及び拡大表示領域によって所望の表示要素を指定することができ、電子紙面の所望の位置で拡大又は縮小するため、電子紙面のレイアウトを維持しながら、複雑な操作を必要とせずに所望の表示に切り替えることができる。
【０００８】
（２）また、本発明は上記目的を達成するため、電子紙面データを読み込んで電子紙面を表示処理する電子紙面データ表示ステップと、操作入力に基づいて前記電子紙面の表示要素を指定する表示指定領域を移動操作する操作ステップと、前記表示指定領域が選択する前記電子紙面の表示要素を前記電子紙面データから切り出して拡大表示する表示要素切出ステップと、操作入力に基づいて前記電子紙面の表示倍率を拡大又は縮小する電子紙面拡大・縮小ステップと、前記電子紙面と、前記表示指定領域と、前記拡大表示された表示要素を表示する拡大表示領域とを重畳する画像重畳ステップとを有することを特徴とする画像表示方法を提供する。
【０００９】
上記した方法によれば、（１）と同様の効果を達成することができる。
【発明の効果】
【００１０】
本発明によれば、電子紙面のレイアウトを維持しながら複雑な操作を必要とせずに所望の表示に切り替えることができる。
【発明を実施するための最良の形態】
【００１１】
以下に、本発明の画像表示装置及び画像表示方法の実施の形態を、図面を参照して詳細に説明する。
【００１２】
［実施の形態］
（画像表示装置の構成）
図１は、本発明の実施の形態に係る画像表示装置の外観を示す概略図である。
【００１３】
画像表示装置１は、図示しないアンテナに接続されて放送波を受信し映像及び音声を出力するとともに、ＬＡＮ（Ｌｏｃａｌ  Ａｒｅａ  Ｎｅｔｗｏｒｋ）ケーブル等でインターネット等に接続され外部と通信が可能なテレビジョン装置であり、ＬＣＤ（Ｌｉｑｕｉｄ  Ｃｒｙｓｔａｌ  Ｄｉｓｐｌａｙ）等の表示画面２０Ａと、複数の操作スイッチからなるリモコン１５Ａから操作スイッチの操作に基づいて送信される操作信号を受信するリモコン受信部１５Ｂとを有する。
【００１４】
図２は、本発明の実施の形態に係る画像表示装置の構成を示すブロック図である。
【００１５】
画像表示装置１は、電子紙面データを表示する機能として、インターネット３を介して外部の電子紙面データ配信サーバ２と通信する通信部１０と、電子紙面データ１１Ａをはじめとする情報を記憶するＨＤＤ（Ｈａｒｄ  Ｄｉｓｋ  Ｄｒｉｖｅ）等から構成される記憶部１１と、電子紙面データ１１Ａを読み込んでそれに含まれる文字データ、画像データ及びレイアウトデータ等を解析する電子紙面データ管理部１２と、電子紙面データ管理部１２に電子紙面データ１１Ａの表示状態を問い合わせて操作信号を変換する操作信号制御部１３と、入力部１５から入力する操作信号を解析する操作信号解析部１４と、リモコン１５Ａ及びリモコン受信部１５Ｂを含む操作装置としての入力部１５と、電子紙面データ管理部１２が読み込んだ電子紙面データ１１Ａの表示を拡大又は縮小する電子紙面拡大・縮小部１６と、電子紙面データ管理部１２が読み込んだ電子紙面データ１１Ａのレイアウトデータから構成要素の座標値等を抽出する電子紙面レイアウト抽出部１７と、入力部１５の操作によって選択されて電子紙面レイアウト抽出部１７によって抽出された文字列等の構成要素を切り出す文字列切出部１８と、電子紙面拡大・縮小部１６が出力する電子紙面データの表示画像情報と文字列切出部１８が出力する文字列の表示画像情報とを重畳して映像信号を出力する画像重畳部１９と、画像重畳部１９が出力する映像信号に基づいて映像を表示するＬＣＤパネル等から構成される表示部２０とを有する。
【００１６】
また、画像表示装置１は、テレビジョン装置の機能として図示しないアンテナを介して外部からデジタル放送波等を受信して復調し、トランスポートストリームを選択的に受信するチューナと、チューナが受信したトランスポートストリームを復号化して映像信号及び音声信号を出力する映像処理部と、音声信号に基づいて音声を出力する図示しない音声出力部とを有する。映像信号処理部が出力する映像信号は、表示部２０において表示処理される。また、画像表示装置１は、各部を制御するためのＣＰＵ（Ｃｅｎｔｒａｌ  Ｐｒｏｃｅｓｓｉｎｇ  Ｕｎｉｔ）、各部で処理される情報を一時的に記憶するＲＡＭ（Ｒａｎｄｏｍ  Ａｃｃｅｓｓ  Ｍｅｍｏｒｙ）、各部を相互に通信可能に接続するバス等をさらに有する。
【００１７】
図３は、本発明の実施の形態に係る電子紙面の表示構成を示す概略図である。
【００１８】
電子紙面２００Ａは、新聞イメージを生成するための文字データ、画像データ及びレイアウトデータ等を含む情報である電子紙面データ１１Ａが電子紙面データ管理部１２において読み込まれることで表示画面２０Ａ上に、例えば、見開きによって表示され、表示内容として電子紙面のタイトルを示す電子紙面名２０１と、各記事の見出しを示す見出し２０２ａ〜２０２ｇと、各記事の内容を示す記事文２０３ａ〜２０３ｇとを有する。
【００１９】
図４は、本発明の実施の形態に係る電子紙面の表示の一例を示す概略図である。
【００２０】
電子紙面一覧表示２００Ｂは、電子紙面データ管理部１２において読み込まれた電子紙面データ１１Ａが電子紙面拡大・縮小部１６において縮小されることで表示画面２０Ａ上に、例えば、ページの一覧として表示され、各ページをそれぞれ構成するページ２０４ａ〜２０４ｏと、ページ２０４ａ〜２０４ｏから利用者が所望するページを選択するための選択表示２１とを有する。
【００２１】
図５は、本発明の実施の形態に係る電子紙面の表示の他の例を示す概略図である。
【００２２】
電子紙面ページ表示２００Ｃは、電子紙面データ管理部１２において読み込まれた電子紙面データ１１Ａが電子紙面拡大・縮小部１６において拡大されるとともに、後述する表示指定文字列２３Ａによって選択された文字列が電子紙面レイアウト抽出部１７及び文字列切出部１８によって切り出されることで表示画面２０Ａ上に表示され、それぞれ見出し２０２ａ〜２０２ｇ及び記事文２０３ａ〜２０３ｇからなる記事２０５ａ〜２０５ｇと、利用者がさらに拡大を所望する記事を選択する選択表示２２と、利用者が拡大表示領域２３Ｂにおける拡大表示を所望する文字列を選択する表示指定領域としての表示指定文字列２３Ａと、表示指定文字列２３Ａにおいて改行されている改行位置を示す改行位置２３０を含んで表示指定文字列２３Ａにおいて指定された文字列を拡大表示する拡大表示領域２３Ｂとを有する。なお、表示指定文字列２３Ａは、枠表示以外に反転表示等の他の強調表示手段を用いてもよい。
【００２３】
図６は、本発明の実施の形態に係る電子紙面の表示の他の例を示す概略図である。
【００２４】
電子紙面記事表示２００Ｄは、図５の選択表示２２によって選択された記事２０５ｆが表示画面２０Ａ上に表示され、利用者が拡大表示領域２４Ｂにおける拡大表示を所望する文字列を選択する表示指定文字列２４Ａと、表示指定文字列２４Ａにおいて改行されている改行位置を示す改行位置２４０を含んで表示指定文字列２４Ａにおいて指定された文字列を拡大表示する拡大表示領域２４Ｂとを有する。
【００２５】
図７は、本発明の実施の形態に係る電子紙面の表示の他の例を示す概略図である。
【００２６】
電子紙面記事表示２００Ｅは、図５の選択表示２２によって選択された記事２０５ｅが表示画面２０Ａ上に表示され、表示される記事文２０３ｅの表示文字サイズが利用者にとって読みやすい予め定められた大きさ、例えば、２４ｐｔ以上になるようなレイアウト、例えば１段組の文字レイアウトである場合に、電子紙面記事表示２００Ｄのように拡大表示領域２４Ｂを表示しない。
【００２７】
（動作）
以下に、本発明の実施の形態における画像表示装置の動作を各図を参照しつつ説明する。
【００２８】
電子紙面データ１１Ａは、定期的に、例えば、毎朝、通信部１０がインターネット３を介して電子紙面データ配信サーバ２から受信し、記憶部１１に記憶される。
【００２９】
記憶部１１に記憶された電子紙面データ１１Ａは、利用者が入力部１５において表示操作を行うと、操作信号解析部１４が電子紙面データ管理部１２に対して電子紙面データ１１Ａを読み込むよう指示し、電子紙面データ管理部１２は、読み込んだ電子紙面データ１１Ａを表示部２０において表示処理させ、表示画面２０Ａに電子紙面２００Ａを表示する。
【００３０】
図８は、本発明の実施の形態に係る画像表示装置の動作例を示す概略図である。
【００３１】
電子紙面データ管理部１２は、電子紙面２００Ａの表示後、入力部から移動、拡大又は縮小の操作信号を入力されると、図４〜７に示す電子紙面一覧表示２００Ｂ、電子紙面ページ表示２００Ｃ、電子紙面記事表示２００Ｄ及び２００Ｅのいずれかに表示を切り替える。
【００３２】
電子紙面一覧表示２００Ｂは、一覧表示モード、電子紙面ページ表示２００Ｃは、ページ表示モード、電子紙面記事表示２００Ｄ及び２００Ｅは、記事表示モードであり、電子紙面データ管理部１２は、例えば、電子紙面２００Ａを表示した後に移動の操作信号を入力されると、ページ表示モードに表示を切り替えて選択表示２２、表示指定文字列２３Ａ及び拡大表示領域２３Ｂを表示する。
【００３３】
表示指定文字列２３Ａは、移動の操作信号（例えば、リモコン１５Ａの左右キー）に基づいて選択する文字列を移動し、拡大表示領域２３Ｂは、表示指定文字列２３Ａによって選択された文字列を拡大表示する。なお、拡大表示の際に改行を省略して文字列を表示するが、改行位置２３０は、表示しなくてもよい。また、拡大表示領域２３Ｂは、１行の表示に限らず複数行にわたっての表示でも良い。以上の説明は、拡大表示領域２４Ｂにおいても同様であり、拡大表示領域を電子紙面一覧表示２００Ｂにおいて表示するようにしても良い。
【００３４】
また、例えば、移動の操作信号（リモコン１５Ａの上下キー）を入力されると、選択表示２１又は２２を移動してそれぞれページ又は記事を選択する。
【００３５】
また、例えば、電子紙面ページ表示２００Ｃを表示した後に縮小の操作信号（リモコン１５Ａの戻るキー）を入力されると、一覧表示モードに切り替えて電子紙面一覧表示２００Ｂを表示し、拡大の操作信号（リモコン１５Ａの決定キー）を入力されると、記事表示モードに切り替えて選択表示２２によって選択されている記事を拡大し、電子紙面記事表示２００Ｄ又は２００Ｅを表示する。
【００３６】
図９は、本発明の実施の形態に係る画像表示装置の動作例を示すフローチャートである。
【００３７】
まず、操作信号解析部１４は、リモコン１５Ａに対して操作が入力されると（Ｓ１；Ｙｅｓ）、その操作が移動の操作か否かを確認し、移動操作である場合（Ｓ２；Ｙｅｓ）、操作信号制御部１３は、表示指定文字列２３Ａ又は２４Ａ（リモコン１５Ａの左右キー）、又は選択表示２１又は２２（リモコン１５Ａの上下キー）を移動するよう電子紙面データ管理部１２に指示する（Ｓ３）。
【００３８】
また、リモコン１５Ａに対して入力された操作が移動操作でない場合（Ｓ２；Ｎｏ）、縮小の操作か否かを確認し、縮小の操作である場合（Ｓ４；Ｙｅｓ）、操作信号制御部１３は、電子紙面データ管理部１２の表示モードを確認し、その表示モードを縮小した表示モードに切り替えるよう電子紙面拡大・縮小部１６に指示する（Ｓ５）。
【００３９】
また、リモコン１５Ａに対して入力された操作が縮小の操作でない場合（Ｓ４；Ｎｏ）、つまり、拡大の操作である場合、操作信号制御部１３は、電子紙面データ管理部１２の表示モードを確認し、ページ表示モードでない場合（Ｓ６；Ｎｏ）、つまり、一覧表示モードである場合、その表示モードを拡大したページ表示モードに切り替えるよう電子紙面拡大・縮小部１６に指示する（Ｓ７）。
【００４０】
また、ページ表示モードである場合（Ｓ６；Ｙｅｓ）、電子紙面レイアウト抽出部１７は、選択表示２２によって選択されている記事のサイズを検出し、記事のサイズが閾値より大きい場合（Ｓ８；Ｎｏ）、例えば、記事のサイズが記事文１段より多い場合、画像重畳部１９は、表示指定文字列２４Ａ及び拡大表示領域２４Ｂを重畳して電子紙面記事表示２００Ｄを表示部２０に表示する（Ｓ９）。
【００４１】
また、記事のサイズが閾値以下の場合（Ｓ８；Ｙｅｓ）、例えば、記事のサイズが記事文１段以下の場合、画像重畳部１９は、表示指定文字列２４Ａ及び拡大表示領域２４Ｂを重畳せずに電子紙面記事表示２００Ｅを表示部２０に表示する（Ｓ１０）。
【００４２】
（実施の形態の効果）
上記した実施の形態によると、電子紙面データを一覧表示モード、ページ表示モード又は記事表示モードからリモコン１５Ａの簡単なキー操作で選択して表示するため、容易に利用者の所望する縮尺で電子紙面データを表示できる。また、表示される記事文の文字サイズが利用者にとって読みづらい際は、表示指定文字列２３Ａ又は２４Ａによって指定することで拡大表示領域２３Ｂ又は２４Ｂに表示するため、拡大を所望する記事や文字列を容易に検索できる。
【００４３】
なお、本実施の形態において、電子紙面データの内容の一例として新聞を示したが、レイアウトを必要とし、文章、画像又はイラスト等を含む内容の電子紙面データであれば同様に本発明を適用できる。また、本実施の形態において、電子紙面の閲覧を主な目的として説明したが、利用者が必要な情報を検索することを目的として利用しても良い。
【図面の簡単な説明】
【００４４】
【図１】本発明の実施の形態に係る画像表示装置の外観を示す概略図である。
【図２】本発明の実施の形態に係る画像表示装置の構成を示すブロック図である。
【図３】本発明の実施の形態に係る電子紙面の表示構成を示す概略図である。
【図４】本発明の実施の形態に係る電子紙面の表示の一例を示す概略図である。
【図５】本発明の実施の形態に係る電子紙面の表示の他の例を示す概略図である。
【図６】本発明の実施の形態に係る電子紙面の表示の他の例を示す概略図である。
【図７】本発明の実施の形態に係る電子紙面の表示の他の例を示す概略図である。
【図８】本発明の実施の形態に係る画像表示装置の動作例を示す概略図である。
【図９】本発明の実施の形態に係る画像表示装置の動作例を示すフローチャートである。
【符号の説明】
【００４５】
１…画像表示装置、２…電子紙面データ配信サーバ、３…インターネット、１０…通信部、１１…記憶部、１１Ａ…電子紙面データ、１２…電子紙面データ管理部、１３…操作信号制御部、１４…操作信号解析部、１５…入力部、１５Ａ…リモコン、１５Ｂ…リモコン受信部、１６…電子紙面拡大・縮小部、１７…電子紙面レイアウト抽出部、１８…文字列切出部、１９…画像重畳部、２０…表示部、２０Ａ…表示画面、２１…選択表示、２２…選択表示、２３Ａ…表示指定文字列、２３Ｂ…拡大表示領域、２４Ａ…表示指定文字列、２４Ｂ…拡大表示領域、２００Ａ…電子紙面、２００Ｂ…電子紙面一覧表示、２００Ｃ…電子紙面ページ表示、２００Ｄ…電子紙面記事表示、２００Ｅ…電子紙面記事表示、２０１…電子紙面名、２０２ａ-２０２ｇ…見出し、２０３ａ-２０３ｇ…記事文、２０４ａ-２０４ｏ…ページ、２０５ａ-２０５ｇ…記事、２３０…改行位置、２４０…改行位置
【図１】
2010113040.tif 000003
【図２】
2010113040.tif 000004
【図３】
2010113040.tif 000005
【図４】
2010113040.tif 000006
【図５】
2010113040.tif 000007
【図６】
2010113040.tif 000008
【図７】
2010113040.tif 000009
【図８】
2010113040.tif 000010
【図９】
2010113040.tif 000011